(57)【要約】【課題】ディスクを取出口から落として破損するおそれのないディスク収容シート及びその製造方法を提供すること。【解決手段】不織布からなる基材シート２と、基材シート２上に被覆することによって収容部３を形成する透明な樹脂シート４とを有し、樹脂シート４は、基材シート２に３辺が接合されて一方側が開口する収容部３が形成され、収容部３の取出口５に着色によってマーカー６が形成されている。樹脂シートのロールを巻き戻しながら樹脂シートの両端部および中央部に着色層を形成する工程と、樹脂シートをその幅方向の中央から切断してシートの両端部に着色層が形成された２つの着色シートを作製する工程と、着色シートと、不織布からなる基材シートとを重ねた状態で送りながら、着色シートの幅方向の中央部を溶着溶断機により溶着溶断すると共に、着色シートをその幅方向に沿って溶着溶断機により溶着溶断する工程と、を包含する。【選択図】  図１
2005022713.tif 000002
【特許請求の範囲】
【請求項１】
ディスクを取り出し自在に収容するための収容部を有するディスク収容シートであって、
不織布からなる矩形状の基材シートと、該基材シート上に被覆することによって収容部を形成する透明な樹脂シートとを有し、該樹脂シートは基材シートに３辺が接合されて一方側が開口する収容部が形成され、該収容部の開口側において該樹脂シートに着色されたマーカーが形成されているディスク収容シート。
【請求項２】
ディスクを取り出し自在に収容するための収容部を有するディスク収容シートの製造方法であって、
透明な樹脂シートのロールを巻き戻しながら該樹脂シートの両端部および中央部に着色層を帯状に形成する工程と、
該樹脂シートをその幅方向の中央から切断してシートの両端部に着色層が形成された２つの着色シートを作製する工程と、
該着色シートと、不織布からなる基材シートとを重ねた状態で長手方向に送りながら、該着色シートの幅方向の中央部を溶着溶断機により溶着溶断すると共に、該着色シートをその幅方向に沿って溶着溶断機により溶着溶断する工程と、
を包含するディスク収容シートの製造方法。
【発明の詳細な説明】
【０００１】
【発明の属する技術分野】
本発明は、ＣＤやＤＶＤ等の記録媒体等のディスクを収容するためのディスク収容シートとその製造方法に関する。
【０００２】
【従来の技術】
不織布からなる矩形状の基材シートに透明樹脂シートを被覆して、ディスクを取り出し自在に収納する収容部を設けたディスク収容シートが提案されている。
【０００３】
ところが、このディスク収容シートは、ディスク収容シートの四角形の４辺のうち、どの片が取出口か不明であるために、取出口を下にしてディスクを落としてしまう。
【０００４】
【発明が解決しようとする課題】
本発明は、上記の欠点を解消するためになされたものであり、その目的とするところは、ディスクを取出口から落として破損するおそれのないディスク収容シート及びその製造方法を提供することにある。
【０００５】
【課題を解決するための手段】
本発明のディスク収容シートは、ディスクを取り出し自在に収容するための収容部を有するディスク収容シートであって、不織布からなる矩形状の基材シートと、該基材シートの両側面上に被覆することによって収容部を形成する透明な樹脂シートとを有し、該樹脂シートは基材シートに３辺が接合されて一方側が開口する収容部が形成され、該収容部の取出口側において該樹脂シートに着色されたマーカーが形成されており、そのことにより上記目的が達成される。
【０００６】
本発明のディスク収容シートの製造方法は、ディスクを取り出し自在に収容するための収容部を有するディスク収容シートの製造方法であって、透明な樹脂シートのロールを巻き戻しながら該樹脂シートの両端部および中央部に着色層を帯状に形成する工程と、該樹脂シートをその幅方向の中央から切断してシートの両端部に着色層が形成された２つの着色シートを作製する工程と、該着色シートと、不織布からなる基材シートとを重ねた状態で長手方向に送りながら、該着色シートの幅方向の中央部を溶着溶断機により溶着溶断すると共に、該着色シートをその幅方向に沿って溶着溶断機により溶着溶断する工程と、を包含し、そのことにより上記目的が達成される。
【０００７】
本発明の作用は以下の通りである。
【０００８】
ディスクを取り出し自在に収容するための収容部の開口側に着色されたマーカーが形成されていることにより、そのマーカーの存在によって収容部のディスク収容ケース取出口の位置が容易にわかるので、ディスクの取り扱い時に、取出口を下にしてディスクを落下するおそれがない。
【０００９】
また、複数色のディスク収容シートを製造する場合には、別々の生産ラインで各色のディスク収容ケースを製造したものを、別のアセンブリ工程でパッケージングするため、単色よりも多くの工程がかかり、生産コストが上がることになる。
【００１０】
しかし、本発明の製造方法では、透明な樹脂シートのロールを巻き戻しながら該樹脂シートの両端部および中央部に着色層を帯状に形成し、該樹脂シートをその幅方向の中央から切断してシートの両端部に着色層が形成された２つの着色シートを作製し、該着色シートと、不織布からなる基材シートとを重ねた状態で長手方向に送りながら、該着色シートの幅方向の中央部を溶着溶断機により溶着溶断すると共に、該着色シートをその幅方向に沿った溶着溶断機により溶着溶断することにより、着色された樹脂シートを用いるだけで、従来の製造装置を用いて、複数色の着色層を有するディスク収容シートを生産コストを上げることなく製造できる。
【００１１】
【発明の実施の形態】
以下、本発明を図面を参照して説明する。
【００１２】
図１〜図３に示すように、ディスク収容シート１０は、不織布からなる略正方形状の基材シート２と、該基材シート２の片面あるいは両面上に被覆することによって収容部３を形成する樹脂シート４とを有している。収容部３のサイズはディスク１を収容できる程度とされている。
【００１３】
基材シート２１は合成樹脂製の不織布から構成され、通常は帯電防止加工が施されている。樹脂シート４はポリプロピレンシート等の透明な合成樹脂シートで形成することができる。
【００１４】
樹脂シート４は基材シート２に３辺が溶着により接合されており、樹脂シート４と基材シート２とから一方側が開口する収容部３が形成されている。この収容部３の取出口５からディスク１を取り出し自在に収容することができる。
【００１５】
樹脂シート４の取出口５側が着色されてマーカー６が形成されている。このマーカー６の幅寸法Ｈは５〜４０ｍｍ程度とすることができ、１０〜１６ｍｍが特に好ましい。マーカー６は、樹脂シート４の外面あるいは内面に印刷によって塗着することによって形成できる。マーカー６の形状、模様、色等は種々変更できる。例えば、会社名、会社のロゴ等を着色により付けてマーカー６としてもよい。ディスクの内容によって、複数色のマーカー６の付いたディスク収容シート１０を作成するのがよい。それによって、ディスクを分類できる。
【００１６】
マーカー６以外の樹脂シート４は透明であるので、収容部３内に収容されたディスクの表示等が外側から視認できる。
【００１７】
次に、ディスク収容シート１０の製造方法を図４に基づいて説明する。
【００１８】
透明な樹脂シート４は帯状でありロール状に巻かれている。この樹脂シート４のロール１１を巻き戻しながら、該樹脂シート４の両端部および中央部に着色層を帯状に形成する（図４ｂ）。
【００１９】
この実施例では、４色の着色層６ａ〜６ｄが樹脂シート４の両端部と中央部（２箇所）に形成されている。本実施例では、赤、青、緑、黄６ａ〜６ｄの４色の帯状のマーカー６を付けている。着色層６は印刷機２０によって印刷することができる。
【００２０】
次に、着色層６が形成された樹脂シート４をその幅方向の中央から２分割に切断して、それぞれシートの両端部に着色層６ａ〜６ｄが形成された２つの着色シート１５を作製する（図４ｃ）。この着色シート１５は保管等のためにロール状に巻かれている。
【００２１】
一方、不織布からなる基材シート２を巻き外しながら、その上面に、上記で作成したロール状着色シート１５を巻き外しながら配設し、該着色シート１５と基材シート２とを重ねた状態で長手方向に送りながら、これらの積層シートに対して、該着色シート１５の幅方向の中央部を溶着溶断機１７により溶着溶断し、次いで、積層シートをその幅方向に沿って溶着溶断機１８により溶着溶断する。すなわち、ディスク収容シート１０の底部となる部分に第１の溶着溶断機１７を当てて溶融するとともに切断し、ディスク収容シート１０の側部となる部分に第２の溶接溶断機１８を当てて溶融するとともに切断する。
【００２２】
ここで、溶断溶接機１７，１８としては、加熱によってシート及び不織布を溶融および切断するもの、あるいは超音波によってシート及び不織布を溶融および切断するもの等を使用することができる。
【００２３】
不織布およびシートはそれぞれ合成樹脂から構成されているので、適度に加熱された溶接溶断機１７，１８によって、溶融と切断が行われる。このようにして、４色のマーカー６が付けられた四角形のディスク収容シート１０が同時に作成され、その後梱包される（図４ｄ）。
【００２４】
上記実施例では、ディスク収容シート１０の片面にＣＤやＤＶＤ等のディスク４を収容できる収容部３を設けたが、図５および図６に示すように、基材シート２の両側に２枚の樹脂シート４を重ねて表裏で２枚のディスク１を収容できる収容部３を設けてもよい。
【００２５】
以上のようにして得られたディスク収容シート１０においては、樹脂シート４と基材シート２の３辺がそれぞれ溶着によって接合され、他の１辺に取出口５が形成される。そして、取出口５側で樹脂シート４にマーカー６が形成されている。よって、ディスク収容シート１０の取り扱い者は、取出口５の位置がマーカー６によってわかり、収容部３にディスク１を収容した状態で取出口５を下に向けることはない。本明細書でディスクとは、フロッピー（登録商標）ディスク、ＭＯ、その他のメディア類等を含むものである。また、複数色のマーカーが付けられたディスク収容ケースを使用することによって、ディスクの分類や選択が容易となる。
【００２６】
【発明の効果】
本発明によれば、収容部の開口側において樹脂シートに着色したマーカーを形成するだけの簡単な構成によって、取り扱い時にディスクがディスク収容ケースの開口から不意に落下して破損することがない。
【００２７】
また、色の異なる帯状マーカーを樹脂シート上に印刷することで、その後の製袋工程は、従来の透明の袋を作る工程とほぼ同じでありながら、複数色のディスク収容シートができる。よって、生産コストへの影響が少ない。
【図面の簡単な説明】
【図１】本発明のディスク収容シートの一実施形態の平面図である。
【図２】図１で示すディスク収容シートの断面図である。
【図３】図１で示すディスク収容シートの斜視図である。
【図４】本発明のディスク収容シートの製造方法を示す概略説明図である。
【図５】本発明のディスク収容シートの他の実施形態の平面図である。
【図６】図５で示すディスク収容シートの断面図である。
【符号の説明】
１    ディスク
２    基材シート
３    収容部
４    樹脂シート
５    取出口
６    マーカー
１０  ディスク収容シート
【図１】
2005022713.tif 000003
【図２】
2005022713.tif 000004
【図３】
2005022713.tif 000005
【図４】
2005022713.tif 000006
【図５】
2005022713.tif 000007
【図６】
2005022713.tif 000008